(57)【要約】      （修正有）【課題】集合住宅、特に高齢者向け集合住宅のインターホンシステムに係り、住居内に電気錠を備えない安価なインターホンシステムで、簡易的に居住者の在宅／不在を確認するシステムを構築するための発信部を鍵に備えたインターホンシステムを提供する。【解決手段】集合住宅の各住居の玄関の外側に居住者が携帯する鍵によって施解錠される玄関ドアを設置するインターホンシステムにおいて、鍵には電波を発信する発信部を備え、玄関ドア付近に、住居外側からの電波を受信する第１の受信部を備え、住居内部からの電波を受信する第２の受信部を備え、第１の受信部で電波を受信した時、在室／不在設定を変更し、第２の受信部で電波を受信した時、在室設定に変更するＣＰＵを有する制御装置を備える。【選択図】図１
2011055030.tif 000002
【特許請求の範囲】
【請求項１】
集合住宅の各住居の玄関の外側に居住者が携帯する鍵（１１）によって施解錠される玄関ドア（６）を設置するインターホンシステムにおいて、
前記鍵には電波を発信する発信部（１１０１）を備え、
前記玄関ドア付近に、住居外側からの電波を受信する第１の受信部（７ａ）を備え、
住居内部からの電波を受信する第２の受信部（７ｂ）を備え、
前記第１の受信部で電波を受信した時、在室／不在設定を変更し、前記第２の受信部で電波を受信した時、在室設定に変更するＣＰＵ（１００１）を有する制御装置（１０）を備えたことを特徴とするインターホンシステム。
【請求項２】
前記発信部は、定期的に電波を送信すると共に、前記鍵が前記玄関ドアを開扉するために鍵穴で回動動作した時に生じる撓みを検出して前記発信部から電波を発信するための撓み検出部（１１０２）を備えたことを特徴とする請求項１記載のインターホンシステム。
【請求項３】
前記第２の受信部は、磁石等による磁界を発生させる磁気部（７０１ｂ）を備え、
前記発信部は、前記磁気部の磁界を検出したとき定期的に電波を発信するためのホールＩＣ等の磁界検出部（１１０３）を備えたことを特徴とする請求項１記載のインターホンシステム。
【請求項４】
前記ＣＰＵは、前記第２の受信部が住居内に複数台設置され、少なくとも１台の前記第２の受信部が電波を受信した時、在室設定とする機能を備えたことを特徴とする請求項１又は２項記載のインターホンシステム。
【請求項５】
集合住宅内のエントランスに、前記鍵の発信する電波を受信してエントランスドア（２）を解錠するための第３の受信部（７ｃ）を備え、
前記ＣＰＵは、前記第３の受信部が前記鍵の電波を受信し、かつ、当該鍵が開扉すべき住居が施錠してから一定時間以上不在設定であった場合、当該住居の所属する階へ向けてエレベータを自動運転させる機能を備えたことを特徴とする請求項１乃至４のうちいずれか一項記載のインターホンシステム。
【請求項６】
集合住宅内のエントランスに、前記鍵の発信する電波を受信してエントランスドア（２）を解錠するための第３の受信部（７ｃ）を備え、
前記住居外側に設置され、住居の玄関先を照らす照明部（１２、１２、・・・）を備え、
前記ＣＰＵは、当該住居が一定時間以上不在設定であり、他の住居の前記第１の受信部および第３の受信部で電波を受信した時、当該住居までの経路の他の住居の前記照明部を点灯させる機能を備えたことを特徴とする請求項１乃至４のうちいずれか一項記載のインターホンシステム。
【請求項７】
共用部または管理室に報知部（９０１）を備え、
前記ＣＰＵは、住居が在室設定時に前記第２の受信部で電波を受信できなかった場合、送信部の機器異常として発報部に警報信号を送信する機能を備えたことを特徴とする請求項１乃至７のうちいずれか一項記載のインターホンシステム。
【請求項８】
住居内部に人感センサ（８、８、・・・）を備え、
前記ＣＰＵは、住居が不在設定されているときに前記人感センサを駆動させ、前記人感センサが感知した時、在室設定とする機能を備えたことを特徴とする請求項１乃至８のうちいずれか一項記載のインターホンシステム。
【発明の詳細な説明】
【技術分野】
【０００１】
本発明は集合住宅、特に高齢者向け集合住宅のインターホンシステムに係り、住居内に電気錠を備えない安価なインターホンシステムで、簡易的に居住者の在宅／不在を確認するシステムを構築するための発信部を鍵に備えたインターホンシステムに関する。
【背景技術】
【０００２】
従来から、この種のインターホンシステムとして、在室確認ボタンなどの在室／不在設定装置や、電気錠を住居内に設置するものがあった。
【先行技術文献】
【特許文献】
【０００３】
【特許文献１】特開２００７−１５０８８５公報
【発明の開示】
【発明が解決しようとする課題】
【０００４】
しかしながら、背景技術に記載した従来例において、居住者がボタン操作を怠ると、在室／不在設定が正しい値を示さなくなり緊急時の対応に支障が出るおそれがあった。
【０００５】
本発明は、上述の難点を解消するためになされたもので、鍵に発信部を備えて施錠時／入室時に自動的に在室／不在設定が可能とすることを目的としている。
【課題を解決するための手段】
【０００６】
上述の目的を達成するため、本発明の第１の態様であるインターホンシステムは、集合住宅の各住居の玄関の外側に居住者が携帯する鍵によって施解錠される玄関ドアを設置するインターホンシステムにおいて、鍵には電波を発信する発信部を備え、玄関ドア付近に、住居外側からの電波を受信する第１の受信部を備え、住居内部からの電波を受信する第２の受信部を備え、第１の受信部で電波を受信した時、在室／不在設定を変更し、第２の受信部で電波を受信した時、在室設定に変更するＣＰＵを有する制御装置を備えたことを特徴とする。
【０００７】
また、本発明の第２の態様であるインターホンシステムは、発信部は、定期的に電波を送信すると共に、鍵が玄関ドアを開扉するために鍵穴で回動動作した時に生じる撓みを検出して前記発信部から電波を発信するための撓み検出部を備えたことを特徴とする。
【０００８】
また、本発明の第３の態様であるインターホンシステムは、第２の受信部は、磁石等による磁界を発生させる磁気部を備え、発信部は、磁気部の磁界を検出したとき定期的に電波を発信するためのホールＩＣ等の磁界検出部を備えたことを特徴とする。
【０００９】
また、本発明の第４の態様であるインターホンシステムは、ＣＰＵは、第２の受信部が住居内に複数台設置され、少なくとも１台の第２の受信部が電波を受信した時、在室設定とする機能を備えたことを特徴とする。
【００１０】
また、本発明の第５の態様であるインターホンシステムは、集合住宅内のエントランスに、鍵の発信する電波を受信してエントランスドアを解錠するための第３の受信部を備え、ＣＰＵは、第３の受信部が鍵の電波を受信し、かつ、当該鍵が開扉すべき住居が施錠してから一定時間以上不在設定であった場合、当該住居の所属する階へ向けてエレベータを自動運転させる機能を備えたことを特徴とする。
【００１１】
また、本発明の第６の態様であるインターホンシステムは、集合住宅内のエントランスに、鍵の発信する電波を受信してエントランスドアを解錠するための第３の受信部を備え、住居外側に設置され、住居の玄関先を照らす照明部を備え、ＣＰＵは、当該住居が一定時間以上不在設定であり、他の住居の第１の受信部および第３の受信部で電波を受信した時、当該住居までの経路の他の住居の照明部を点灯させる機能を備えたことを特徴とする。
【００１２】
また、本発明の第７の態様であるインターホンシステムは、共用部または管理室に報知部を備え、ＣＰＵは、住居が在室設定時に第２の受信部で電波を受信できなかった場合、送信部の機器異常として発報部に警報信号を送信する機能を備えたことを特徴とする。
【００１３】
また、本発明の第８の態様であるインターホンシステムは、住居内部に人感センサを備え、ＣＰＵは、住居が不在設定されているときに人感センサを駆動させ、人感センサが感知した時、在室設定とする機能を備えたことを特徴とする。
【発明の効果】
【００１４】
請求項１のインターホンシステムによれば、居住者は特別な設定をすることなく、かつ、高価な電気錠を設置する必要もなく、在室／不在設定を行なうことが可能であり、利便性が向上する。
請求項２のインターホンシステムによれば、住居外で施錠したことを感知することができることから、確実に在室／不在設定を行うことができる。
請求項３のインターホンシステムによれば、発信部は、磁界を検出した場合のみ電波を発信することから、発信部の電池寿命を延長することができる。
請求項４のインターホンシステムによれば、室内に在室していることを確実に検知できることができる。
請求項５のインターホンシステムによれば、居住者は何ら操作することなくエレベータに乗車することができ、利便性が向上する。
請求項６のインターホンシステムによれば、居住者はエントランスから住居までの照明が確保されることから、利便性が向上する。
請求項７のインターホンシステムによれば、発信部の電池切れを確実に検知できることから、誤動作が減少するとともに、インターホンの報知部を使用することにより低コストで構築できる。
請求項８のインターホンシステムによれば、不在設定時に人を感知した場合に、在室設定に変更することができる。
【図面の簡単な説明】
【００１５】
【図１】本発明の実施例によるインターホンシステムの全体構成を示すシステム図。
【発明を実施するための形態】
【００１６】
以下、本発明のインターホンシステムを適用した最良の実施形態例について、図面を参照して説明する。
【００１７】
図１は、本発明の実施例によるインターホンシステムの全体構成を示すシステム図であり、マンション等の集合住宅のエントランスには、各住居の居住者、管理人に呼出／通話するための集合玄関機１と、後述する鍵１１によって施解錠されるエントランスドア２と、エントランスドア２の周囲近傍に設置され、鍵１１から発信される電波を受信するための第３の受信部７ｃと、集合住宅の各フロアを昇降するためのエレベータ３とが設置されている。なお、集合玄関機１には、来訪者を撮像するカメラ１０１と、鍵１１を差し込む鍵穴１０２とで構成されている。
【００１８】
また、各住居には、玄関の外側に設置され、来訪者を撮像するカメラ４０１、４０１、・・・を備えると共に各住居の居住者に呼出／通話するための玄関子機４、４、・・・と、鍵穴６０１に後述する鍵１１を差し込み回動動作によって施解錠される玄関ドア６、６、・・・と、玄関ドア６、６、・・・の周囲近傍に設置され、鍵１１から発信される電波を受信するための第１の受信部７ａ、７ａ、・・・、・・・と、各居室に設置され、鍵１１から発信される電波を受信するための第２の受信部７ｂ、７ｂ、・・・、・・・と、住居の人物を検知するための人感センサ８、８、・・・と、撮像された来訪者の映像を出力するモニタ５０１、５０１、・・・を備えると共に、来訪者、管理人と応答／通話するための居室親機５、５、・・・が設置されている。なお、第２の受信部７ｂには、鍵１１から磁界を発生させる磁気部７０１ｂを備えている。
【００１９】
また、共用部または管理室には、各居室親機５、５、・・・からの警報報知をするモニタ９０１ａ、スピーカ９０１ｂを備えると共に、来訪者、各住居の居住者に呼出／通話するための管理室親機９と、集合住宅インターホンシステムを制御するＣＰＵ１００１を備えた制御装置１０と、廊下に設置され、住居の玄関先の明るさを確保するために点灯される照明灯１２、１２、・・・、・・・が設置される。
【００２０】
また、居住者が集合住宅内または住居内に入る際に使用する鍵１１には、鍵穴１０２、６００に差し込み回動動作した時に生じる撓みを検出する撓み検出部１１０２と、撓み検出した時、電波を発信する発信部１１０１とで構成されている。また、鍵１１には、第２の受信部７ｂの磁気部７０１ｂを検出するホールＩＣ等の磁界検出部１１０３を備えており、磁気部７０１ｂの磁界を検出した時、定期的に電波を発信することができる。
【００２１】
このように構成された本発明の実施例による集合住宅インターホンシステムにおいて、以下、具体的な動作について説明する。尚、玄関子機１または集合玄関機からの呼び出し、及び呼び出しに対する居室親機２からの応答動作の説明は本発明の要部ではないので省略し、映像信号を処理する動作の説明を行う。
【００２２】
居室親機５、５、・・・、・・・のうち、例えば、５１０号室の居住者が在室して、第２の受信部７ｂ付近に鍵１１が保管されていると、鍵１１の磁界検出部１１０３が第２の受信部７ｂの磁気部７０１ｂを検出し、発信部１１０１から定期的に電波を発信する。電波が第２の受信部７ｂで受信されると、居室親機５を経由して第２受信信号が制御装置１０のＣＰＵ１００１に伝送される。ＣＰＵ１００１は、受信した第２受信信号に予め含まれている居室番号５１０号室を元に、５１０号室を在室設定とする。このときＣＰＵ１００１は、管理室親機９に５１０号室の在室設定信号を送信し、モニタ９０１ａに表示させる。
【００２３】
ここで、５１０号室の居住者が外出する際に、鍵１１を第２の受信部7ｂ付近の保管場所から持ち出し、玄関ドア６の鍵穴６０１に差し込み回動動作をすると、撓み検出部１１０２が鍵１１の撓みを検出し、発信部１１０１から電波を送信する。電波が玄関周囲近傍に設置された第１の受信部７ａで受信されると、居室親機５を経由して第１受信信号が制御装置１０のＣＰＵ１００１に伝送される。ＣＰＵ１００１は、受信した第１受信信号に予め含まれている居室番号５１０号室を元に、５１０号室の在室設定／不在設定の切り替えを行う。この場合は、第１受信信号を受信する前が在室設定であるため、在室設定を不在設定に切り替える。このときＣＰＵ１００１は、管理室親機９に５１０号室の不在設定信号を送信し、モニタ９０１ａに表示させる。
【００２４】
次に、５１０号室が不在設定となって所定時間以上経過した後、居住者が帰宅し、エントランスドア２を開扉するため、鍵１１を集合玄関機１の鍵穴１０２に差し込み回動動作をすると、撓み検出部１１０２が鍵１１の撓みを検出し、発信部１１０１から電波を送信する。電波がエントランス周囲近傍に設置された第３の受信部７ｃで受信されると、第３受信信号が制御装置１０のＣＰＵ１００１に伝送される。制御装置１０のＣＰＵ１００１は、エントランス２の開扉制御を行うと共に、受信した第３受信信号に予め含まれている居室番号５１０号室を元に５１０号室の在室／不在設定を確認し、不在状態が所定時間以上経過の場合には、エントランスドア２から５１０号室までの帰宅ルート上の照明灯１２、１２、・・・を点灯させる。更に、エレベータ３をエントランスフロアまで移動させ、５１０号室の居住者を乗せた状態で自住居の存在階である５階に着床させるように自動運転することができる。従って、帰宅時の居住者は、集合住宅内における帰宅ルート上の明るさが確保された状態で、自住居階である５階まで容易に辿り着くことができ、利便性が高められる
【００２５】
また、自住居である５１０号室まで辿り着いた居住者が室内に入る際、鍵１１を玄関ドア６の鍵穴６０１に差し込み回動動作をすると、撓み検出部１１０２が鍵１１の撓みを検出し、発信部１１０１から電波を送信する。電波が玄関周囲近傍に設置された第１の受信部７ａで受信されると、居室親機５を経由して第１受信信号が制御装置１０のＣＰＵ１００１に伝送される。ＣＰＵ１００１は、受信した第１受信信号に予め含まれている居室番号５１０号室を元に、５１０号室を在室設定／不在設定の切り替えを行う。この場合は、第１受信信号を受信する前が不在設定であったため、在室設定に切り替える。このときＣＰＵ１００１は、管理室親機９に５１０号室の在室設定信号を送信し、モニタ９０１ａに表示させる。このとき、制御装置１０のＣＰＵ１００１は、点灯されていた５０１号室の玄関から５１０号室までの帰宅ルート上に設置された照明灯１２、１２、・・・、・・・を全て消灯させることができる。なお、不在から一定時間が経過しない場合は、エレベータ３の自動運転、照明等１２、１２、・・・の点灯は行わない。
【００２６】
なお、住居内が不在状態になると人感センサ８が作動し、人感センサ８が人物を感知すると、人物信号が制御装置１０のＣＰＵ１００１に伝送される。このときＣＰＵ１００１は、受信した人物信号に含まれる居室番号、例えば５１０号室から人物信号が送られてきた場合、５１０号室を在室設定に切り替えることができる。
【００２７】
また、５０１号室が鍵１１の発信部１１０１からの電波を受信し、在室設定となっている状態で、第２の受信部７ｂが定期的な電波を受信できなくなった時、居室親機５を経由して制御装置１０のＣＰＵ１００１に未受信信号が伝送される。ＣＰＵ１００１は未受信信号が送信されてきた部屋番号、例えば５１０号室から未受信信号が送られてきた場合、５１０号室の鍵１１の発信部１１０１に機器異常が起きていると判断する。このときＣＰＵ１００１は、管理室親機９に５１０号室の未受信信号を送信し、モニタ９０１ａ、スピーカ９０１ｂにて報知させることで機器異常を知らせる。
【００２８】
また、鍵１１が第２の受信部７ｂの磁気部７０１ｂを検出し電波を発信していたが、この形態に限定されるものでない。例えば、室内に第２の受信部を複数備え、鍵１１の発信部１１０１から発信される電波を受信することで、在室設定とすることもできる。
【００２９】
さらに、本発明のインターホンシステムにおいて、特定の実施の形態をもって説明してきたが、この形態に限定されるものでない。これまで知られた如何なる構成の当該システムであっても採用することもかのうであり、例えば、共同玄関、エレベータ及び照明灯や多数の客室を有するホテル等の施設に採用することもできる。
【符号の説明】
【００３０】
６・・・              玄関ドア
７ａ・・・            第１の受信部
７ｂ・・・            第２の受信部
１０・・・            制御装置
１００１・・・        ＣＰＵ  
１１・・・            鍵
１１０１・・・        発信部
【図１】
2011055030.tif 000003